Podtech/llm-jp-corpus-v4-ja_patent huggingface dataset:
【誤訳訂正書】
【提出日】令和1年8月21日(2019.8.21)
【誤訳訂正１】
【訂正対象書類名】明細書
【訂正対象項目名】００１１
【訂正方法】変更
【訂正の内容】
【００１１】
甘味物質
甘味性炭水化物および特に糖（スクロース）、例えばスクロース、トレハロース、ラクトース、マルトース、メレジトース（ｍｅｌｉｚｉｔｏｓｅ）、ラフィノース、パラチノース、ラクツロース、Ｄ−フルクトース、Ｄ−グルコース、Ｄ−ガラクトース、Ｌ−ラムノース、Ｄ−ソルボース、Ｄ−マンノース、Ｄ−タガトース、Ｄ−アラビノース、Ｌ−アラビノース、Ｄ−リボース、Ｄ−グリセルアルデヒド、または様々な重合度のマルトデキストリンなどは、まず第一に甘味物質または甘味性物質として使用できる。例えばテンサイ（Ｂｅｔａ  ｖｕｌｇａｒｉｓ種、糖画分、液糖、モラセス）、サトウキビ（サッカルムオフィシナルム（Ｓａｃｃｈａｒｕｍ  ｏｆｆｉｃｉｎａｒｕｍ）種、モラセス、サトウキビシロップ）、ハチミツ、カエデシロップ（Ａｃｅｒ種）、またはアガベ（アガベシロップ）に基づく、これらの物質を含有する植物調製物も適している。
以下も可能である。
（ｉ）合成の、すなわち通常は酵素により生成されるデンプンまたは糖加水分解物（転化糖、フルクトースシロップ）；
（ｉｉ）フルーツ濃縮物（例えばリンゴまたはナシに基づく）；
（ｉｉｉ）糖アルコール（例えばエリトリトール、トレイトール、アラビトール、リビトール（ｒｉｂｏｔｏｌ）、キシリトール、ソルビトール、マンニトール、ズルシトール、ラクチトール）；
（ｉｖ）甘味性タンパク質およびペプチド（例えばミラクリン、モネリン、タウマチン、クルクリン、ブラゼイン）；
（ｖ）甘味料（例えばマガップ、シクラミン酸ナトリウム、アセスルファムＫ、ネオヘスペリジンジヒドロカルコン、サッカリンナトリウム塩、アスパルテーム、スーパーアスパルテーム、ネオテーム、アリテーム、スクラロース、ステビオシド、レバウディオサイド、ルブソシド、スアビオシド、モグロシド、ルグズナム、カレラーム、スクロノネート、スクロオクテート、モナチン、フェニロズルチン（ｐｈｅｎｙｌｏｄｕｌｃｉｎ）、フィロズルチン、アブルソシド（例えば国際公開第２０１５／０９１２９８号に記載される））；
【誤訳訂正２】
【訂正対象書類名】明細書
【訂正対象項目名】００１３
【訂正方法】変更
【訂正の内容】
【００１３】
（ｖｉｉ）抽出物またはこれらの抽出物の富化画分の形態である群（ｉ）からの天然甘味料、特にＴｈａｕｍａｔｏｃｏｃｃｕｓ抽出物（カテンフェ（ｋａｔｅｍｆｅ）フルーツ）、Ｓｔｅｖｉａ種からの抽出物（特にＳｔｅｖｉａ  ｒｅｂａｕｄｉａｎａ）、スウィングル抽出物（ＭｏｍｏｒｄｉｃａまたはＳｉｒａｔｉａ  ｇｒｏｓｖｅｎｏｒｉｉ、ルオハングオ）、カンゾウからの抽出物、さらにＧｌｙｃｅｒｒｈｙｚｉａ種（特にＧｌｙｃｅｒｒｈｙｚｉａ  ｇｌａｂｒａ）、Ｒｕｂｕｓ種（特にＲｕｂｕｓ  ｓｕａｖｉｓｓｉｍｕｓ）、かんきつ抽出物、Ｈｙｄｒａｎｇｅａ  ｍａｃｒｏｐｈｙｌｌａ  ｖａｒ．  ｔｈｕｎｂｅｒｇｉｉ  Ｍａｋｉｎｏからの抽出物、Ｌｉｐｐｉａ  ｄｕｌｃｉｓからの抽出物、Ｍｙｃｅｔｉａ  ｂａｌａｎｓａｅからの抽出物、ならびに対応するこれらの抽出物の富化画分も、本発明による香味混合物において使用してもよい；
（ｖｉｉｉ）甘味性アミノ酸（例えばグリシン、Ｄ−ロイシン、Ｄ−スレオニン、Ｄ−アスパラギン、Ｄ−フェニルアラニン、Ｄ−トリプトファン、Ｌ−プロリン）；
【誤訳訂正３】
【訂正対象書類名】明細書
【訂正対象項目名】００１４
【訂正方法】変更
【訂正の内容】
【００１４】
（ｖｉｉｉ）さらなる甘味性低分子量物質、例えばヘルナンズルシン、ジヒドロカルコングリコシド、グリチルリチン、グリチルレチン酸（ｇｌｙｃｅｒｒｈｅｔｉｎｉｃ  ａｃｉｄ）、それらの誘導体および塩、リコリス（liquorice）（Ｇｌｙｃｙｒｒｈｉｚｚａ  ｇｌａｂｒａ種）の抽出物、Ｌｉｐｐｉａ  ｄｕｌｃｉｓ抽出物、Ｍｏｍｏｒｄｉｃａ種抽出物など、または
（ｉｘ）フルーツ調製物もしくは抽出物、例えばＭｏｍｏｒｄｉｃａ  ｇｒｏｓｖｅｎｏｒｉ［ルオハングオ］から、欧州特許第２２９８０８４号に記載のＨｙｄｒａｎｇｅａ  ｄｕｌｃｉｓから、またはＳｔｅｖｉａ種（例えばＳｔｅｖｉａ  ｒｅｂａｕｄｉａｎａ）からのフルーツ調製物もしくは抽出物
（ｘ）国際公開第２０１５／０６２９９８号に記載のＳｔｅｖｉａ種またはＲｕｂｕｓ種からの酵素処理グリコシドの甘味料または抽出物
（ｘｉ）国際公開第２０１２／１６４０６２号に記載のＭｙｃｅｔｉａ  ｂａｌａｎｓａｅからの抽出物または単離バランシン。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
以下を含む、患者を治療するために好適な、タンパク質修飾酵素の阻害剤を同定する方法：
（ｉ）  前記患者から採取されたサンプル中の各タンパク質修飾酵素のＫ値を、以下を含むサンプル中のタンパク質修飾酵素の活性を定量する方法を使用して計算する方法；
定量的質量分析（ＭＳ）リン酸化プロテオミックス・データを入力し、タンパク質修飾酵素についてのＫ値を以下のように計算すること；
【数１】
2019501637.tif 000001
ここで、ｍ＝前記タンパク質修飾酵素の基質である、サンプル中の修飾ペプチドの数；
α＝修飾ペプチドｉの強度；
ｉ＝前記タンパク質修飾酵素の基質であるサンプル中の個々の修飾ペプチド；
ｌ＝サンプル中の修飾ペプチドの総数；
β＝修飾ペプチドｊの強度；および
ｊ＝サンプル中の修飾ペプチドのすべて；
（ｉｉ）  最も高いＫ値を有するタンパク質修飾酵素を同定すること；および
（ｉｉｉ）  最も高いＫ値を有するタンパク質修飾酵素をターゲットとする阻害剤を選択すること；
ここで前記タンパク質修飾酵素はプロテインキナーゼであり、前記患者は癌にかかっているかまたは癌にかかっていることが疑われている患者である。
【請求項２】
前記タンパク質修飾酵素のＫ値が以下のように計算される、請求項１記載の方法：
【数２】
2019501637.tif 000002
ここで、ｔ＝前記タンパク質修飾酵素のための既知の目標修飾ペプチドの総数。
【請求項３】
癌が白血病またはリンパ腫である、請求項１または２記載の方法。
【請求項４】
癌が急性骨髄白血病（ＡＭＬ）である、請求項１から３のいずれか１項記載の方法。
【請求項５】
プロテインキナーゼが、ＣＤＫ１、ＣＤＫ２、ＥＲＫ１、ＰＡＫ１、ＣＫ２、ＡＴＲおよびＰＫＡＣＡからなる群から選択される、請求項４記載の方法。
【請求項６】
質量分析（ＭＳ）を使用して、第１のサンプルおよび第２のサンプル中の修飾ペプチドを同定および／または定量することを含む、請求項１から５のいずれか１項記載の方法。
【請求項７】
第１のサンプルと第２のサンプル中の修飾ペプチドの定量および／または同定は下記工程を含む方法を使用して行なわれる、請求項６記載の方法：
（ａ）  サンプルからペプチドを得ること；
（ｂ）  参照修飾ペプチドをステップ（ａ）の中で得られたペプチドに加え、ペプチドと参照修飾ペプチドの混合物を生産すること；
（ｃ）  ペプチドと参照修飾ペプチドの前記混合物に質量分析（ＭＳ）を実行し、サンプル中のペプチドに関するデータを得ること；および
（ｄ）  コンピューター・プログラムを使用して、修飾ペプチドのデータベース中のデータとサンプル中のペプチドに関するデータとを比較すること；
ここで、修飾ペプチドのデータベースは以下を含む方法によりコンパイルされる：
ｉ）  サンプルからペプチドを得ること；
ｉｉ）  ステップｉで得られたペプチドから修飾ペプチドを富化すること；
ｉｉｉ）  ステップｉｉで得られた富化された修飾ペプチドに、液体クロマトグラフィー・タンデム型質量分析（ＬＣ−ＭＳ／ＭＳ）を行なうこと；
ｉｖ）  既知のレファレンス・データベースとステップｉｉｉで検知された修飾ペプチドを比較し、修飾ペプチドを同定すること；および
ｖ）  データベースの中へ、ステップｉｖで同定された修飾ペプチドに関するデータをコンパイルすること。
【請求項８】
前記ステップ（ｂ）は、ペプチドおよび参照修飾ペプチドの混合物から修飾ペプチドを富化し、富化された修飾ペプチドの混合物を生産することをさらに含み、前記ステップ（ｃ）は、富化された修飾ペプチドの混合物について質量分析（ＭＳ）を実行し、サンプル中の修飾ペプチドに関係のあるデータを得ることを含み、
任意に、前記修飾ペプチドを富化するステップはクロマトグラフィーを使用して行なわれる、請求項７記載の方法。
【請求項９】
前記クロマトグラフィーは、固定化金属イオン親和性クロマトグラフィー（ＩＭＡＣ）、二酸化チタン（ＴｉＯ２）クロマトグラフィーおよび酸化ジルコニウム（ＺｒＯ２）クロマトグラフィーから成る群から選ばれ、
任意に、修飾ペプチドを富化するステップは抗体に基づく方法を使用して行なわれる、請求項７記載の方法。
【請求項１０】
サンプル中のペプチドに関するデータは、質量／荷電（ｍ／ｚ）比、荷電（ｚ）およびペプチドの相対保持時間を含む、請求項７から９のいずれか１項記載の方法。
【請求項１１】
ステップｉｖはＭＡＳＣＯＴサーチエンジンを使用して実行されるか、またはステップｉｖで同定された修飾ペプチドに関係するデータは、修飾ペプチドの同一性、質量／荷電（ｍ／ｚ）比、荷電（ｚ）および修飾ペプチドの相対保持時間からなる群から選択される、請求項７から１０のいずれか１項記載の方法。
【請求項１２】
ＭＳ技術は定量化のためのアイソトープラベルを使用し、任意にＭＳ技術は代謝のアイソトープ（たとえば、培地中の安定同位体でラベルされたアミノ酸（ＳＩＬＡＣ））、または化学誘導体化（たとえばiTRAQ 、ICAT 、TMT）を使用する、請求項６記載の方法。
【請求項１３】
以下を含む方法により、サンプル中のタンパク質修飾酵素の活性を定量する、請求項１から１２のいずれか１項記載の方法。；
（ｉ’）サンプル中の修飾ペプチドの総数を決定すること；
（ｉｉ’）修飾ペプチドの強度を決定すること；
（ｉｉｉ’）前記タンパク質修飾酵素の基質である、サンプル中の修飾ペプチドの数を決定すること；
（ｉｖ’）前記タンパク質修飾酵素の基質である、修飾ペプチドの強度を決定すること；
（ｖ’）  前記タンパク質修飾酵素のＫ値を請求項１記載の方法により計算すること：
ここで、Ｋ値は前記タンパク質修飾酵素の活性水準に正比例する。
【請求項１４】
使用の際に、請求項１から１３のいずれか１項記載の方法を実行するようにコンピューターに指示するように操作可能なコンピューター読取り可能なコードを含む、コンピューター読取り可能なメディア。
【請求項１５】
請求項１から１３のいずれか１項記載の方法を実行するようにされたコンピュータを操作可能なコードが格納されたメモリー、およびメモリー内に格納されたコードを実行するようにされたプロセッサーを含むデバイス。
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
ニコチンアミドリボシド（ＮＲ）を産生する細菌であって、
（ａ）前記ＮＲを産生する細菌に導入されたポリヌクレオチドにより発現される異種性ポリペプチドである、異種性ニコチン酸アミド化ポリペプチド（ＮａｄＥ＊）と、
（ｂ）ニコチンアミドアデニンジヌクレオチド（ＮＡＤ＋）加水分解タンパク質と、を発現し、
前記細菌が、
ａ）ｎａｄＡ、ｎａｄＢ、ｎａｄＣまたはそれらの組み合わせの転写を抑制する機能の発現をブロックしまたは減少させること；
ｂ）ニコチンアミドリボシド輸送体の活性をブロックしまたは減少させること；
ｃ）ニコチン酸モノヌクレオチドアデニルトランスフェラーゼの活性をブロックしまたは減少させること；
ｄ）ニコチンアミドモノヌクレオチドアミドヒドロラーゼの活性をブロックしまたは減少させること；
ｅ）プリンヌクレオシドホスホリラーゼの活性をブロックしまたは減少させること；
ｆ）ニコチンアミドモノヌクレオチドヒドロラーゼを発現すること；および
ｇ）Ｌ−アスパラギン酸オキシダーゼ、キノリン酸シンターゼ、キノリン酸ホスホリボシルトランスフェラーゼ（ｐｈｏｓｈｏｒｉｂｏｓｙｌｔｒａｎｓｆｅｒａｓｅ）およびそれらの組み合わせからなる群から選択されるポリペプチドを発現すること；
からなる群から選択される１つまたは複数の修飾をさらに含む、ニコチンアミドリボシド（ＮＲ）を産生する細菌。
【請求項２】
前記異種性ＮａｄＥ＊が、配列番号１、３、４、５、６、７、８、９、１０、１１、１２、１３、１４、１５、１６、１７または１８の配列と少なくとも８０％同一であるアミノ酸配列から選ばれ、
配列番号１のポリペプチドの残基２７位、１３３位および／または２３６位に対応する位置のアミノ酸は、ＧＡＰ  ＰＥＮＡＬＴＹ＝１０、ＧＡＰ  ＬＥＮＧＴＨ  ＰＥＮＡＬＴＹ＝０．１のデフォルトパラメータ、およびタンパク質重量マトリックスのＧｏｎｎｅｔ  ２５０シリーズを用いて、配列番号１および３〜１８と比較した際に、アライメントのＣｌｕｓｔａｌＷ法に基づく、２７位のチロシン、１３３位のグルタミン、および／または２３６位のアルギニンから選択される、請求項１に記載の細菌。
【請求項３】
（ａ）前記ニコチンアミドアデニンジヌクレオチド（ＮＡＤ＋）加水分解タンパク質が、配列番号６６〜７０と少なくとも８０％同一であるポリペプチドから選択され、および／または
（ｂ）ｎａｄＡ、ｎａｄＢ、ｎａｄＣまたはそれらの組み合わせの転写を抑制する機能の発現をブロックしまたは減少させる前記ポリペプチドは、配列番号５１、５２または５３のポリペプチドから選択され、および／または
（ｃ）前記ニコチンアミドリボシド輸送体が、配列番号５４、５５または５６のポリペプチドから選択され、および／または
（ｄ）ニコチンアミドモノヌクレオチドヒドロラーゼが、配列番号５７、５８または５９のポリペプチドから選択され、および／または
（ｅ）前記ニコチン酸モノヌクレオチドアデニルトランスフェラーゼタンパク質が、配列番号６３、６４または６５のポリペプチドから選択され、および／または
（ｆ）前記ニコチンアミドモノヌクレオチドアミドヒドロラーゼタンパク質が、配列番号６０、６１または６２のポリペプチドから選択され、および／または
（ｇ）前記プリンヌクレオシドホスホリラーゼタンパク質が、配列番号７２〜７６のポリペプチドから選択され、および／または
（ｈ）前記キノリン酸シンターゼが、配列番号７７、７８または７９のポリペプチドから選択され、および／または
（ｉ）前記Ｌ−アスパラギン酸オキシダーゼが、配列番号８０または８１のポリペプチドから選択され、および／または
（ｊ）前記キノリン酸ホスホリボシルトランスフェラーゼが、配列番号８２、８３または８４のポリペプチドから選択される、請求項１または２に記載の細菌。
【請求項４】
前記細菌は、エシェリキア属（Ｅｓｃｈｅｒｉｃｈｉａ）、バチルス属（Ｂａｃｉｌｌｕｓ）、コリネバクテリウム属（Ｃｏｒｙｎｅｂａｃｔｅｒｉｕｍ）、アシネトバクター属（Ａｃｉｎｅｔｏｂａｃｔｅｒ）およびラルストニア属（Ｒａｌｓｔｏｎｉａ）からなる群から選択される、請求項１〜３のいずれか一項に記載の細菌。
【請求項５】
ＮＲを生産してＮＲを培地から回収するのに効果的な条件下で、請求項１〜４のいずれか一項に記載の細菌を培養し、それによってＮＲを生産するステップを含む、ＮＲを生産する方法。
【請求項６】
細菌が培養される発酵ブロス中に、ＮＲを少なくとも１００ｍｇ／Ｌまで蓄積する、請求項５に記載の方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
少なくともトコフェロール類と、カルノシン酸と、加水分解型ガロタンニン類との酸化防止剤組合せ物であって、
トコフェロール類の量が５００ｐｐｍ未満であり、かつ
カルノシン酸：加水分解型ガロタンニン類の比が１：４〜３：１の範囲である、
酸化防止剤組合せ物。
【請求項２】
前記トコフェロール類が天然混合トコフェロール類である、請求項１に記載の酸化防止剤組合せ物。
【請求項３】
前記カルノシン酸がローズマリー由来である、請求項１または２に記載の酸化防止剤組合せ物。
【請求項４】
前記加水分解型ガロタンニン類が没食子酸である、請求項１〜３のいずれか一項に記載の酸化防止剤組合せ物。
【請求項５】
前記酸化防止剤組合せ物が、ヒドロキシチロソールおよびケルセチンから選択される少なくとも１種の酸化防止剤をさらに含んでなる、請求項１〜４のいずれか一項に記載の酸化防止剤組合せ物。
【請求項６】
前記酸化防止剤組合せ物が、約５０ｐｐｍを上回る、好ましくは、５０ｐｐｍを上回る量でヒドロキシチロソールをさらに含んでなる、請求項１〜５のいずれか一項に記載の酸化防止剤組合せ物。
【請求項７】
前記ヒドロキシチロソールがオリーブ抽出物由来である、請求項１〜６のいずれか一項に記載の酸化防止剤組合せ物。
【請求項８】
前記酸化防止剤組合せ物が、約１５０ｐｐｍを下回る、好ましくは、１５０ｐｐｍを下回る量でケルセチンをさらに含んでなる、請求項１〜７のいずれか一項に記載の酸化防止剤組合せ物。
【請求項９】
脂肪含有組成物中での経時的な脂肪酸化を遅延させるための、請求項１〜８のいずれか一項に記載の酸化防止剤組合せ物の使用。
【請求項１０】
前記脂肪含有組成物がペットフード組成物である、請求項９に記載の使用。
【請求項１１】
前記脂肪含有組成物が、好ましくは、脂肪、脂肪を含んでなる嗜好性向上組成物または脂肪を含んでなる食事から選択される脂肪含有食物成分である、請求項９に記載の使用。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
一本鎖融合ポリペプチドを含むGITR受容体アゴニストタンパク質であって、
(i)第1の可溶性GITRLドメイン、
(ii)第1のペプチドリンカー、
(iii)第2の可溶性GITRLドメイン、
(iv)第2のペプチドリンカー、並びに
(v)第3の可溶性GITRLドメイン、並びに
(vi)配列番号16及び19〜24からなる群から選択されるヒンジリンカー、並びに
(vii)抗体Fc断片を含み、
抗体Fc断片(vii)が配列番号13で示されるアミノ酸配列又は配列番号13のアミノ酸1〜217からなり、
抗体Fc断片(vii)がヒンジリンカー(vi)を介して第3のGITRLドメイン(v)のC末端に融合し、
可溶性GITRLドメイン(i)、(iii)及び(v)がストークを含まない、
GITR受容体アゴニストタンパク質。
【請求項２】
ストークを含まない第2及び/又は第3の可溶性GITRLドメインが、アミノ酸配列変異を含む、請求項1に記載のGITR受容体アゴニストタンパク質。
【請求項３】
可溶性GITRLドメインのうちの少なくとも1つ、特に可溶性GITRLドメイン(iii)及び(v)のうちの少なくとも1つが、配列番号1のヒトGITRLのアミノ酸E52又はA54又はK55又はE56又はP57で開始するN末端配列を有する可溶性GITRLドメインであり、E52又はA54又はK55又はE56が中性アミノ酸、例えばSer又はGlyで置き換えられていてもよく、
好ましくは、可溶性GITRLドメインのうちの少なくとも1つ、特に可溶性GITRLドメイン(iii)及び(v)のうちの少なくとも1つが、
(a)E52〜P57及び
(b)(Gly/Ser)56〜P57
から選択されるN末端配列を有する可溶性GITRLドメインである、請求項1又は2に記載のGITR受容体アゴニストタンパク質。
【請求項４】
可溶性GITRLドメインが配列番号1のアミノ酸S177で終止し、及び/又は任意選択でE52、A54、K55、L65A、P66A、K68A、P77、N80、V82、E88、L90、Q91、N106、N120、N129、K121、D122、V144、L159、N161、N172、P173、Q174の位置に又は前記位置の2つ以上に変異を含み、
特に、少なくとも可溶性GITRLドメイン(iii)が、配列番号1のA170、P171又はQ174で終止する、C末端が短縮されたGITRLドメインであり、
例えば、可溶性GITRLドメイン(i)、(iii)及び(v)が配列番号1のヒトGITRLのアミノ酸E52〜S177からなる、請求項3に記載のGITR受容体アゴニストタンパク質。
【請求項５】
第1及び第2のペプチドリンカー(ii)及び(iv)が、独立に、グリコシル化されていてもよいアスパラギン残基を任意選択で含む、3〜8個のアミノ酸の長さ、特に3、4、5、6、7又は8個のアミノ酸の長さを有し、好ましくは、グリシン/セリンリンカーであり、
例えば、第1及び第2のペプチドリンカー(ii)及び(iv)が配列番号2のアミノ酸配列からなる、請求項1から4のいずれか一項に記載のGITR受容体アゴニストタンパク質。
【請求項６】
例えば配列番号17のN末端シグナルペプチドドメインを更に含む、並びに/又は、プロテアーゼ切断部位を含んでもよい、並びに/又は、認識/精製ドメイン、例えば配列番号18のStrep-tagを含み及び/若しくはこれに連結されていてもよいC末端要素を更に含む、請求項1から5のいずれか一項に記載のGITR受容体アゴニストタンパク質。
【請求項７】
配列番号15、配列番号25〜35及び配列番号49〜50のいずれかのアミノ酸配列を含む、請求項1から6のいずれか一項に記載のGITR受容体アゴニストタンパク質。
【請求項８】
それぞれが配列番号27、29、30、31、32、33、34、35、49又は50で示されるアミノ酸配列を有する2つのポリペプチドを含み、
特に、2つのポリペプチドが
a)配列番号27、29、30の406位、412位及び415位、又は
b)配列番号31の392位、398位及び401位、又は
c)配列番号32の391位、397位及び400位、又は
d)配列番号33の374位、380位及び383位、又は
e)配列番号34の397位、403位及び406位、又は
f)配列番号35の382位、388位及び391位、又は
g)配列番号49の394位、400位及び403位、又は
h)配列番号50の370位、376位及び379位
に形成された3つの鎖間ジスルフィド結合によって共有結合で連結されている、請求項1から7のいずれか一項に記載のGITR受容体アゴニストタンパク質。
【請求項９】
配列番号27、29、30のN132及びN266、又は配列番号31のN128及びN257、又は配列番号32のN128及びN258、又は配列番号33のN122及びN245、又は配列番号34のN129及びN260、又は配列番号35のN125及びN250、又は配列番号49のN128及びN258、又は配列番号50のN122のリストから選択される1つ又は複数のNグリコシル化アスパラギン残基を含む、請求項8に記載のGITR受容体アゴニストタンパク質。
【請求項１０】
ポリペプチドが更に翻訳後修飾されており、特には、翻訳後修飾がN末端グルタミンのピログルタメートへの修飾を含む、請求項1から9のいずれか一項に記載のGITR受容体アゴニストタンパク質。
【請求項１１】
好ましくは発現制御配列に作動可能に連結された、請求項1〜10のいずれか一項に記載のGITR受容体アゴニストタンパク質をコードする核酸分子。
【請求項１２】
請求項11に記載の核酸分子を含む発現ベクター。
【請求項１３】
請求項11に記載の核酸分子又は請求項12に記載のベクターで形質転換された又はトランスフェクトされた細胞又は非ヒト生命体であって、細胞が例えば原核細胞又は真核細胞、好ましくは哺乳類細胞、又はより好ましくはヒト細胞若しくはチャイニーズハムスター卵巣(CHO)細胞である、細胞又は非ヒト生命体。
【請求項１４】
請求項1から10のいずれか一項に記載のGITR受容体アゴニストタンパク質、請求項11に記載の核酸分子、又は請求項12に記載のベクターを活性薬剤として含み、任意選択で、1つ又は複数の薬学的に許容される担体、希釈剤、賦形剤及び/又はアジュバントを更に含む、医薬組成物又は診断用組成物。
【請求項１５】
治療、より詳細にはGITRLの機能不全によって引き起こされる、これに関連する、及び/又はこれに付随する障害、特に腫瘍等の増殖性障害、例えば固形又はリンパ腫瘍、感染症、炎症性疾患、代謝性疾患、自己免疫障害、例えばリウマトイド及び/又は関節炎疾患、退行性疾患、例えば多発性硬化症等の神経退行性疾患、アポトーシス関連疾患又は移植拒絶反応の予防及び/又は処置において用いるための、請求項14に記載の医薬組成物。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
それを必要とする個体におけるER陰性乳癌の処置のための、
a. 抗PDGF-CC抗体および抗エストロゲン剤、または
b. PDGF-Rの阻害剤および抗エストロゲン剤を含む組合せ医薬。
【請求項２】
前記処置が、
a. それを必要とする個体への前記抗PDGF-CC抗体または前記PDGF-Rの阻害剤の投与のステップと、
b. その後の、前記抗エストロゲン剤の投与のステップとを含む、請求項1に記載の組合せ医薬。
【請求項３】
前記個体が、ER陰性乳癌に罹患しており、かつ前記個体の前記乳癌が、手術により処置されており、かつ前記処置が、再発のリスクを低減する、請求項1又は2に記載の組合せ医薬。
【請求項４】
前記個体への抗PDGF-CC抗体またはPDGF-Rの阻害剤の初回投与が、前記抗エストロゲン剤の初回投与よりも前である、請求項2又は3に記載の組合せ医薬。
【請求項５】
前記抗PDGF-CC抗体が、PDGF-CCを特異的に結合するモノクローナル抗体である、請求項1〜4のいずれか1項に記載の組合せ医薬。
【請求項６】
前記抗PDGF-CC抗体が、
a. 配列番号1のアミノ酸230〜250、
b. 配列番号1のアミノ酸228〜238、
c. 配列番号1のアミノ酸308〜322、
d. 配列番号1のアミノ酸242〜254、
e. 配列番号1のアミノ酸288〜308、
f. 配列番号1のアミノ酸325〜345、
g. 配列番号1のアミノ酸256〜274、
h. 配列番号1のアミノ酸256〜264、および/または
i. 配列番号1のアミノ酸256〜260
に位置する、それを含むまたはそれからなるエピトープを結合できる、請求項1〜6のいずれか1項に記載の組合せ医薬または方法。
【請求項７】
前記抗PDGF-CC抗体が、配列番号1のアミノ酸230〜250内に位置するエピトープを結合できる、請求項1〜6のいずれか1項に記載の組合せ医薬。
【請求項８】
前記PDGF-Rの阻害剤が、イマチニブである、請求項1〜7のいずれか1項に記載の組合せ医薬。
【請求項９】
前記抗エストロゲン剤が、エストロゲンアンタゴニストである、請求項1〜8のいずれか1項に記載の組合せ医薬。
【請求項１０】
前記エストロゲンアンタゴニストが、タモキシフェン、ラロキシフェン、4-ヒドロキシタモキシフェン(4-hydroxytramoxifen)、トリオキシフェン、ケオキシフェン、アフィモキシフェン、LY117018、フルベストラントおよびトレミフェンからなる群から選択される、請求項1〜9のいずれか1項に記載の組合せ医薬。
【請求項１１】
前記抗エストロゲン剤が、アロマターゼ阻害剤である、請求項1〜10のいずれか1項に記載の組合せ医薬または方法。
【請求項１２】
前記抗エストロゲン剤が、エキセメスタン、ホルメスタン、アミノグルテチミド、ボロゾール、ファドロゾール、アナストロゾールおよびレトロゾールからなる群から選択される、請求項1〜11のいずれか1項に記載の組合せ医薬。
【請求項１３】
前記ER陰性乳癌が、トリプルネガティブ型乳癌である、請求項1〜12のいずれか1項に記載の組合せ医薬。
【請求項１４】
前記ER陰性乳癌が、ベーサルライク型乳癌である、請求項1〜13のいずれか1項に記載の組合せ医薬。
【請求項１５】
前記ER陰性乳癌が、原発腫瘍がER陰性であった乳癌である、請求項1〜14のいずれか1項に記載の組合せ医薬。
【手続補正書】
【提出日】令和1年5月20日(2019.5.20)
【手続補正１】
【補正対象書類名】明細書
【補正対象項目名】００８３
【補正方法】変更
【補正の内容】
【００８３】
（ｃ）攪拌下で所定量の懸濁化剤（存在する場合）を加え、水和するのに十分な時間、すなわち、均一に分散／溶解して、必要な粘度を提供するコロイド分散液／溶液を得るために必要な時間を当該材料に与える。このステップは、水和プロセスを促進するために、好ましくは加熱下に（例えば、４０〜９０℃）行われる。さらに、湿潤剤（例えば、グリセロール）を、懸濁化剤の分散を促進するために用いることもできる。緊密で均質な湿潤剤および懸濁化剤の混合物が最初に調製され、それは次に水性ビヒクルに添加される。これは、「固い」高分子量ポリマーと、湿潤剤（高親水性および水溶性）との緊密な混合物が、親水性の表面を水性ビヒクルに曝すため、水和プロセスを促進する。
【手続補正２】
【補正対象書類名】明細書
【補正対象項目名】０１０３
【補正方法】変更
【補正の内容】
【０１０３】
【表１】
2019501116.tif 000001
【手続補正３】
【補正対象書類名】明細書
【補正対象項目名】０１４９
【補正方法】変更
【補正の内容】
【０１４９】
実施例５に記載した組成に従って、０．２％から１０％  ｗ／ｖのギビノスタットを含む、物理的および化学的に安定なギビノスタット懸濁液を調製することができた。活性成分を完全に湿潤化させるために、必要に応じ、ポリソルベート２０の量を約０．０００５％から約１％  ｗ／ｖまでの範囲で増やしても減らしてもよい。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
粘膜の炎症の治療のための組成物の製造における、活性成分としてのＭＡＰの使用。
【請求項２】
前記ＭＡＰは、ｍｅｆｐ−１、ｍｅｆｐ−２、ｍｅｆｐ−３、ｍｅｆｐ−４、ｍｅｆｐ−５、ｍｅｆｐ−６、コラーゲンｐｒｅ−ＣＯＬ−Ｐ、ｐｒｅ−ＣＯＬ−Ｄ、ｐｒｅ−ＣＯＬ−ＮＧ、ならびにイガイ足マトリックスタンパク質ＰＴＭＰ及びＤＴＭＰからなる群から選択されるサブタイプのうちの１つ以上を含む、請求項１に記載の使用。
【請求項３】
前記ＭＡＰは、前記群ｍｅｆｐ−１、ｍｅｆｐ−２、ｍｅｆｐ−３、ｍｅｆｐ−４、ｍｅｆｐ−５、及びｍｅｆｐ−６から選択される前記サブタイプのうちの１つ以上を含む、請求項２に記載の使用。
【請求項４】
前記ＭＡＰは、ｍｅｆｐ−１を含む、請求項３に記載の使用。
【請求項５】
前記ＭＡＰの濃度は、０．１〜１５．０ｍｇ／ｍＬである、請求項１〜４のいずれか一項に記載の使用。
【請求項６】
前記組成物は、液体製剤、ゲル製剤、またはフォーム製剤である、請求項１〜５のいずれか一項に記載の使用。
【請求項７】
最終生成物中のＭＡＰは、ｐＨ１．０〜７．０の範囲であり、特にｐＨ３．０〜６．５の範囲である、請求項１〜６のいずれか一項に記載の使用。
【請求項８】
前記粘膜の炎症は、口腔粘膜炎、鼻炎、中耳炎、結膜炎、咽頭炎、喉頭炎、気管炎、食道炎、胃炎、小腸結腸炎、子宮頸管炎、子宮内膜炎、気道熱傷によって引き起こされる炎症等から選択される、請求項１〜７のいずれか一項に記載のＭＡＰの使用。
【請求項９】
前記ＭＡＰは、口腔粘膜炎、鼻炎、中耳炎、結膜炎、咽頭炎、喉頭炎、気管炎、食道炎、胃炎、小腸結腸炎、子宮頸管炎、子宮内膜炎等のうちの１つ以上によって引き起こされる、口腔癌、鼻咽頭癌、中耳癌、結膜癌、咽喉癌、気管癌、食道癌、胃癌、腸癌、子宮頸癌、子宮内膜癌等を治療する、請求項１〜７のいずれか一項に記載のＭＡＰの使用。
【請求項１０】
前記組成物は、経口投与、舌下投与、灌流によって使用され、点眼薬、点鼻薬、口腔噴霧剤、体腔鏡、直接局所徐放製剤の形態で、または標的投与によって使用される、請求項１〜９のいずれか一項に記載の使用。
【請求項１１】
前記組成物は、薬物、化粧品、消毒用品、ヘルスケア用品、食品、または家庭用化学品である、請求項１〜１０のいずれか一項に記載のＭＡＰの使用。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
複数の担体ポリマー−薬剤成分を含む、患者に投与するための胃内滞留システムであって、
前記複数の担体ポリマー−薬剤成分が、
担体ポリマー、
治療薬又はその医薬的に許容される塩、及び
賦形剤
を含み、前記賦形剤は、前記担体ポリマー−薬剤成分の約２０％〜約４０％を含み、
前記担体ポリマー−薬剤成分は１種以上の結合ポリマー成分によって一緒に連結され、
前記１種以上の結合ポリマー成分の少なくとも１種はエラストマーであり；
前記胃内滞留システムは、容器内では経口投与又は栄養管を介して投与するのに適した圧縮形態を有し、容器から放出されたときは非圧縮形態を有するように構成され；
前記胃内滞留システムは、少なくとも約２４時間〜約１ヶ月の滞留期間、胃内に保持され；
前記システムは、治療有効量の治療薬を有効放出期間にわたって放出し；そして
前記システムは、約６時間以内には、治療薬又はその医薬的に許容される塩の約２０％未満しか放出しない、システム。
【請求項２】
前記システムは、約３０％〜約７０％の治療薬又はその医薬的に許容される塩を、有効放出期間の約４０％〜６０％の時間内に放出する、請求項１の胃内滞留システム。
【請求項３】
前記システムは、約７０％を超える治療薬又はその医薬的に許容される塩を、有効放出期間の約９０％の時間内に放出する、請求項１又は２の胃内滞留システム。
【請求項４】
前記治療薬又はその医薬的に許容される塩の放出は、模擬胃液で測定される、請求項１〜３のいずれか１項の胃内滞留システム。
【請求項５】
請求項１〜４のいずれか１項の胃内滞留システムであって、前記治療薬又はその医薬的に許容される塩の放出は、４０％エタノール／６０％模擬胃液中では、模擬胃液中の同じ時間での放出に対して約４０％以下である、胃内滞留システム。
【請求項６】
ｉｉ）治療薬又はその医薬的に許容される塩は、約１０％〜約３５％の担体ポリマー−薬剤成分を含有する、請求項１〜５のいずれか１項の胃内滞留システム。
【請求項７】
前記前記治療薬又はその医薬的に許容される塩は、ドキシサイクリン、ドネペジル、イベルメクチン、リスペリドン、セチリジン、及びロスバスタチンから成る群から選択される、請求項１〜６のいずれか１項の胃内滞留システム。
【請求項８】
前記賦形剤は、放出促進剤を含む、請求項１〜７のいずれか１項の胃内滞留システム。
【請求項９】
前記放出促進剤は、アクリル酸ポリマー、アクリル酸コポリマー、ポリジオキサノン−ポリエチレングリコールポリマー、及びポリビニルピロリドンから成る群から選択される、請求項８の胃内滞留システム。
【請求項１０】
前記担体ポリマー−薬剤成分は、分散剤をさらに含む、請求項１〜９のいずれか１項の胃内滞留システム。
【請求項１１】
前記分散剤は、約０．１％〜約４％の担体ポリマー−薬剤成分を含む、請求項１０の胃内滞留システム。
【請求項１２】
請求項１０又は１１の胃内滞留システムであって、分散剤は、多孔性無機材料、極性無機材料、非毒性金属酸化物、両親媒性有機分子、多糖、セルロース、セルロース誘導体、脂肪酸、界面活性剤、シリカ、親水性ヒュームドシリカ、疎水性コロイド状シリカ、ケイ酸アルミニウムマグネシウム、ステアリン酸塩、ステアリン酸カルシウム、ステアリン酸マグネシウム、微結晶セルロース、カルボキシメチルセルロース、ヒプロメロース、リン脂質、ステアリン酸ポリオキシエチレン、酢酸亜鉛、アルギン酸、レシチン、ラウリル硫酸ナトリウム、及び酸化アルミニウムから成る群から選択される、システム。
【請求項１３】
前記分散剤はシリカをさらに含む、請求項１０又は１１の胃内滞留システム。
【請求項１４】
前記賦形剤は、可溶化剤である、請求項７及び１０〜１３のいずれか１項の胃内滞留システム。
【請求項１５】
前記可溶化剤は、ポリアルキレンオキシド、ポリエトキシ化ヒマシ油、及び界面活性剤から成る群から選択される、請求項１４の胃内滞留システム。
【請求項１６】
前記担体ポリマー−薬剤成分は、安定剤をさらに含む、請求項１〜１５のいずれか１項の胃内滞留システム。
【請求項１７】
前記安定剤は、約０．１％〜約２％の担体ポリマー−薬剤成分を含む、請求項１６の胃内滞留システム。
【請求項１８】
請求項１６又は１７の胃内滞留システムであって、前記安定剤が、抗酸化剤、トコフェロール、アルファトコフェロール、アスコルビン酸、アスコルビン酸塩、カロチン、ブチル化ヒドロキシアニソール、ブチル化ヒドロキシトルエン、フマル酸、抗菌剤、緩衝物質、炭酸カルシウム、乳酸カルシウム、リン酸カルシウム、リン酸ナトリウム、及び重炭酸ナトリウムから成る群から選択される１種以上の化合物を含む、システム。
【請求項１９】
前記担体ポリマーはポリラクトンを含む、請求項１〜１８のいずれか１項の胃内滞留システム。
【請求項２０】
前記ポリラクトンはポリカプロラクトンを含み、ポリカプロラクトンは約６０，０００〜約１００，０００の平均Ｍｎを有する、請求項１９の胃内滞留システム。
【請求項２１】
前記治療薬又はその医薬的に許容される塩が１ｍｇ／ｍｌ未満の水中の溶解度を有する、請求項１〜２０のいずれか１項の胃内滞留システム。
【請求項２２】
前記可溶化剤がポリビニルカプロラクタム、ポリ酢酸ビニル、及びポリエチレングリコールのコポリマーである、請求項１４の胃内滞留システム。
【請求項２３】
少なくとも１つの担体ポリマー−薬剤成分を含む、患者に投与するための胃内滞留システムであって、
前記担体ポリマー−薬剤成分が、
担体ポリマー、
治療薬又はその薬学的に許容される塩、及び
賦形剤
を含み、前記賦形剤は、前記担体ポリマー−薬剤成分の約２０％〜約４０％を含み、
前記担体ポリマー−薬剤成分は１種以上の結合ポリマー成分によって胃内滞留システムに連結され、
前記１種以上の結合ポリマー成分の少なくとも１種はエラストマーであり；
前記胃内滞留システムは、容器内では経口投与又は栄養管を介して投与するのに適した圧縮形態を有し、容器から放出されたときは非圧縮形態を有するように構成され；
前記胃内滞留システムは、少なくとも約２４時間〜約１ヶ月の滞留期間、胃内に保持され；
前記システムは、治療有効量の治療薬を有効放出期間にわたって放出し；そして
前記システムは、約６時間以内には、治療薬又はその医薬的に許容される塩の約２０％未満しか放出しない、システム。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
遺伝性異所性骨化（ＨＯ）を有する対象、又は、遺伝性ＨＯを患うおそれを有する対象を治療するための医薬品であって、ラパマイシン、テムシロリムス、エベロリムス、デフォロリムス、ゾタロリムス、３２デオキシ−ラパマイシン、ジゴキシン、イマチニブ、又はＰＸ−４７８を含む医薬品。
【請求項２】
ＰＸ−４７８を含む、請求項１に記載の医薬品。
【請求項３】
ラパマイシンを含む、請求項１に記載の医薬品。
【請求項４】
対象が、遺伝的に異所性骨病変形成の素因を有し、又は、遺伝疾患を有する、請求項１〜３の何れか一項に記載の医薬品。
【請求項５】
対象が、進行性骨化性線維異形成症を患う、請求項４に記載の医薬品。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)において基地局(BS)から、前記UEが前記UEと前記BSとの間で通信される各サブフレームにおいて共通アップリンク(UL)バースト内でサウンディング基準信号(SRS)および制御チャネルを送信するよう要求する信号を受信するステップと、
前記受信した信号に基づいて前記UEから前記BSへ、前記UEと前記BSとの間で通信される各ダウンリンク(DL)サブフレームおよび各UL中心サブフレームにおいて同じ周波数帯域幅にわたる前記SRSおよび前記制御チャネルを含む前記共通ULバーストを送信するステップと
を含む、方法。
【請求項２】
前記共通ULバーストを送信するステップが、
シングルキャリア波形を使用して前記SRSおよび前記制御チャネルを送信するステップ
を含む、請求項1に記載の方法。
【請求項３】
前記UEによって前記BSに、前記SRSおよび前記制御チャネルが前記共通ULバーストにおいて結合されているという指示を送信するステップ
をさらに含む、請求項1に記載の方法。
【請求項４】
前記共通ULバーストを送信するステップが、
低レイテンシULペイロードデータを送信するステップ
を含む、請求項1に記載の方法。
【請求項５】
前記UEによって、前記共通ULバーストの第1のシンボルにおいて前記SRSを、および前記共通ULバーストの第2のシンボルにおいて前記制御チャネルを送信するステップ
をさらに含み、
前記第1のシンボルおよび前記第2のシンボルが、前記同じ周波数帯域を占める時分割複信(TDD)シンボルを含む、
請求項1に記載の方法。
【請求項６】
前記UEによって、前記共通ULバースト内に前記SRSを送信する前にZadoff-Chu系列または擬似ランダム系列を使用して前記SRSを拡散するステップと、
前記UEによって、前記共通ULバースト内に前記SRSを送信する前にガウス型最小シフトキーイング(GMSK)変調を使用して前記拡散したSRSを変調するステップと
をさらに含む、請求項1に記載の方法。
【請求項７】
前記共通ULバーストを送信するステップが、
離散フーリエ変換(DFT)拡散直交周波数分割多重(OFDM)ベースの波形、またはガウス型最小シフトキーイング(GMSK)ベースの波形を使用して、前記共通ULバースト内で前記制御チャネルを送信するステップ
を含む、請求項1に記載の方法。
【請求項８】
前記共通ULバーストを送信するステップが、
複数のユーザにわたる共有領域を使用して前記共通ULバースト内で前記SRSおよび前記制御チャネルを送信するステップと
を含む、請求項1に記載の方法。
【請求項９】
前記UEにおいてネットワークから、前記UEに固有の系列を受信するステップと、
前記共通ULバースト内で前記SRSおよび前記制御チャネルを送信する前に、前記受信した系列を使用して前記SRSおよび前記制御チャネルを拡散するステップと
をさらに含む、請求項1に記載の方法。
【請求項１０】
前記UEによって、前記共通ULバースト内で前記SRSおよび前記制御チャネルを送信する前に、前記SRSおよび前記制御チャネルの電力制御を実行するステップ
をさらに含む、請求項1に記載の方法。
【請求項１１】
前記UEにおいて前記BSから、前記共通ULバースト内で前記SRSおよび前記制御チャネルを送信するための信号を受信するステップと、
前記UEによって、前記受信した信号に基づいて、前記共通ULバースト内で前記SRSおよび前記制御チャネルを送信するステップと
をさらに含む、請求項1に記載の方法。
【請求項１２】
装置であって、
別の装置から、前記装置が、前記装置と前記別の装置との間で通信される各サブフレームにおいて共通アップリンク(UL)バースト内でサウンディング基準信号(SRS)および制御チャネルを送信するよう要求する信号を、受信するための手段と、
前記受信した信号に基づいて前記別の装置に、前記装置と前記別の装置との間で通信される各ダウンリンク(DL)サブフレームおよび各UL中心サブフレームにおいて同じ周波数帯域幅にわたる前記SRSおよび前記制御チャネルを含む前記共通ULバーストを送信するための手段と
を備える、装置。
【請求項１３】
ワイヤレス通信のための方法であって、
基地局(BS)からユーザ機器(UE)に、前記UEが前記UEと前記BSとの間で通信される各サブフレームにおいて共通アップリンク(UL)バースト内でサウンディング基準信号(SRS)および制御チャネルを送信するよう要求する信号を送信するステップと、
前記BSにおいて、前記UEから通信される各ダウンリンク(DL)サブフレームおよび各UL中心サブフレームにおいて同じ周波数帯域幅にわたる前記SRSおよび前記制御チャネルを含む前記共通ULバーストを受信するステップと、
前記受信したSRSに基づいて前記受信した制御チャネルを復調するステップと
を含む、方法。
【請求項１４】
装置であって、
別の装置へ、前記別の装置が、前記別の装置と前記装置との間で通信される各サブフレームにおいて共通アップリンク(UL)バースト内でサウンディング基準信号(SRS)および制御チャネルを送信するよう要求する信号を、送信するための手段と、
前記装置と前記別の装置との間で通信される各ダウンリンク(DL)中心サブフレームおよび各UL中心サブフレームにおいて同じ周波数帯域幅にわたる前記SRSおよび前記制御チャネルを含む前記共通ULバーストを受信するための手段と、
前記受信したSRSに基づいて前記受信した制御チャネルを復調するための手段と
を備える、装置。
【請求項１５】
プログラムコードを記録したコンピュータ可読記録媒体であって、前記プログラムコードが、コンピュータに実行されると、請求項1〜11または13のいずれか一項に記載の方法のステップを前記コンピュータに実行させるための命令を含む、コンピュータ可読記録媒体。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
セルカバレージエリア内の複数のユーザ機器(UE)の各々から、チャネルメトリックを含むフィードバックメッセージを受信するステップと、
セルカバレージエリア内に位置するUEの各々に関連付けられたチャネルメトリックに応じて、前記セルカバレージエリア内に位置する前記複数のUEからUEのセットを選択するステップと、
第1のビームフォーム幅を有する単一の指向性送信を使用して、前記選択されたUEのセットに制御メッセージを送信するステップと、
前記制御メッセージに従って、前記第1のビームフォーム幅とは異なる第2のビームフォーム幅を有する指向性送信を使用して、前記UEのセットのうちの第1のUEと第1のデータメッセージを交換するステップと、
前記制御メッセージに従って、前記第1のビームフォーム幅とは異なる、第3のビームフォーム幅を有する指向性送信を使用して、前記UEのセットのうちの第2のUEと第2のデータメッセージを交換するステップと
を含む方法。
【請求項２】
前記第2のビームフォーム幅および前記第3のビームフォーム幅が、前記第1のビームフォーム幅よりも狭い、請求項1に記載の方法。
【請求項３】
前記チャネルメトリックが、
i)前記複数のUEの各々からの送信に関連付けられた到来角パラメータ、
ii)記複数のUEの各々への送信に関連付けられた信号対雑音比(SNR)、
iii)前記複数のUEの各々への送信に関連付けられた、1つまたは複数の受信信号強度インジケータ(RSSI)、基準信号受信電力、および基準信号受信品質、ならびに
iv)前記複数のUEの各々への送信に関連付けられた発射角パラメータ
のうちの1つまたは複数を含む、請求項1に記載の方法。
【請求項４】
前記複数のUEに関連付けられたデータ需要に少なくとも部分的に基づいて、前記UEのセットを選択するステップ
をさらに含む、請求項1に記載の方法。
【請求項５】
前記複数のUEの各々から、前記複数のUEの各々のための指向性情報を備えるフィードバックメッセージを受信するステップと、
前記指向性情報に少なくとも部分的に基づいて、少なくとも2つのUEのセットを選択するステップと
をさらに含む、請求項1に記載の方法。
【請求項６】
i)前記フィードバックメッセージが、指向性ランダムアクセスチャネルにおいて受信されるか、
ii)前記フィードバックメッセージが、アップリンク制御情報(UCI)を通して受信されるか、または
iii)前記フィードバックメッセージが、チャネル品質インジケータ(CQI)フィールドバックメッセージ内で受信される、請求項5に記載の方法。
【請求項７】
前記選択肢ii)の場合に、
前記UCIが、物理アップリンク制御チャネル(PUCCH)を介して受信されるか、または
前記UCIが、物理アップリンク共有チャネル(PUSCH)を介して受信される、
請求項6に記載の方法。
【請求項８】
前記複数のUEに、1つまたは複数の指向性1次同期信号を送信するステップと、
前記複数のUEの各々からフィードバック情報を受信するステップであって、前記フィードバック情報が、前記1つまたは複数の指向性1次同期信号に少なくとも部分的に基づく、ステップと、
前記フィードバック情報に少なくとも部分的に基づいて、少なくとも2つのUEのセットを選択するステップと
をさらに含む、請求項1に記載の方法。
【請求項９】
前記複数のUEのうちの対応する個々のUEに、1つまたは複数の指向性追跡メッセージを送信するステップであって、前記1つまたは複数の指向性追跡メッセージが、各々、フィードバック情報を与えるように前記対応するUEに要求を伝達する、ステップと、
前記1つまたは複数の指向性追跡メッセージに応答して、前記対応する個々のUEの各々からフィードバック情報を受信するステップと、
前記フィードバック情報に少なくとも部分的に基づいて、少なくとも2つのUEのセットを選択するステップと
をさらに含む、請求項1に記載の方法。
【請求項１０】
前記第2のUEと交換された前記データメッセージが、前記第1のUEと交換された前記データメッセージとは異なるタイムスロットにおいて交換される、請求項1に記載の方法。
【請求項１１】
前記第2のUEと交換された前記データメッセージが、前記第1のUEと交換された前記データメッセージと同じタイムスロットにおいて交換される、請求項1に記載の方法。
【請求項１２】
前記制御メッセージが、物理ダウンリンク制御チャネル(PDCCH)を介して通信される、請求項1に記載の方法。
【請求項１３】
ワイヤレス通信のための装置であって、
複数のユーザ機器(UE)の各々から、チャネルメトリックを含むフィードバックメッセージを受信するための手段と、
チャネルメトリックに少なくとも部分的に基づいて、セルカバレージエリア内に位置する前記複数のUEからUEのセットを選択するための手段と、
第1のビームフォーム幅を有する単一の指向性送信を使用して、前記選択されたUEのセットに、制御メッセージを送信するための手段と、
前記制御メッセージに従って、前記第1のビームフォーム幅とは異なる第2のビームフォーム幅を有する指向性送信を使用して、前記UEのセットのうちの第1のUEと第1のデータメッセージを交換するための手段と、
前記制御メッセージに従って、前記第1のビームフォーム幅とは異なる、第3のビームフォーム幅を有する指向性送信を使用して、前記UEのセットのうちの第2のUEと第2のデータメッセージを交換するための手段と
を備える装置。
【請求項１４】
請求項2から12のいずれか一項に記載の方法を実行するための手段をさらに備える請求項13に記載の装置。
【請求項１５】
ワイヤレス通信のためのコンピュータ実行可能コードを記憶しているコンピュータ可読記録媒体であって、前記コードが、プロセッサによって、
複数のユーザ機器(UE)の各々から、チャネルメトリックを含むフィードバックメッセージを受信すること、
チャネルメトリックに少なくとも部分的に基づいて、セルカバレージエリア内に位置する前記複数のUEからUEのセットを選択すること、
第1のビームフォーム幅を有する単一の指向性送信を使用して、前記選択されたUEのセットに、制御メッセージを送信すること、
前記制御メッセージに従って、前記第1のビームフォーム幅とは異なる第2のビームフォーム幅を有する指向性送信を使用して、前記UEのセットのうちの第1のUEと第1のデータメッセージを交換すること、ならびに
前記制御メッセージに従って、前記第1のビームフォーム幅とは異なる、第3のビームフォーム幅を有する指向性送信を使用して、前記UEのセットのうちの第2のUEと第2のデータメッセージを交換すること
を行うように実行可能である、コンピュータ可読記録媒体。